(57)【要約】【課題】確認用ロッドを介して打球面を正しい向きに保持したままスイングができたか否かの確認が容易に行え、正確なスイングの練習が容易且つ適切に行える練習用バットを提供する。【解決手段】バット本体２端部の打球面３ａと直角をなして後方に突出する確認用ロッド４を配設し、スイング状態でも確認用ロッド４の向きを見て打球面３ａの向きを確認できることにより、打球面３ａを正しい向きに保持したままスイングができたか否かの確認が容易に行え、ボールを打つ前後のスイング状態で確認用ロッド４の向きを略水平に維持するよう努めてスイング練習を行うことで正しいスイングフォームを効率よく体得できる。また、確認用ロッド４に所定の重量を付与することでバット本体２のグリップを持つ手首にねじり方向の負荷を与えることができ、バットを正しい向きに維持する筋力の鍛錬も図れる。【選択図】  図１
2004313529.tif 000002
【特許請求の範囲】
【請求項１】
少なくとも一端側にグリップ部を有する所定長さの略棒状のバット本体と、
当該バット本体の他端寄り所定位置に配設され、所定の打球面で少なくともボールを打撃可能な打球部と、
前記バット本体における前記打球部の打球面と直角をなす後方側に所定長さ突出状態でバット本体に対し着脱可能に配設される確認用ロッドとを備えることを
特徴とする練習用バット。
【請求項２】
前記請求項１に記載の練習用バットにおいて、
前記打球部が、前記バット本体から前記確認用ロッド突出方向と逆向きに突出させて形成されることを
特徴とする練習用バット。
【請求項３】
前記請求項２に記載の練習用バットにおいて、
前記打球部が、前記バット本体と別体とされ、バット本体に対し着脱自在に配設されることを
特徴とする練習用バット。
【請求項４】
前記請求項３に記載の練習用バットにおいて、
前記バット本体が、他端側所定長さ範囲を所定径の略円柱状とされる略バット状体として形成され、
前記打球部が、前記バット本体外周面法線方向へ突出させて配設され、前記打球面を前記法線方向と略直角をなす面とされてなることを
特徴とする練習用バット。
【請求項５】
前記請求項４に記載の練習用バットにおいて、
前記打球部が、略バット状の前記バット本体におけるスイートスポットとなる外周位置に配設されることを
特徴とする練習用バット。
【発明の詳細な説明】
【０００１】
【発明の属する技術分野】
本発明は、野球の打撃練習において用いられてバットを正しくスイングできるようにするための練習用バットに関し、特に練習者本人が打球面の向きを容易且つ的確に認識でき効率よくスイング練習が行える練習用バットに関する。
【０００２】
【従来の技術】
野球の打撃に際しては、ボールをバットの先端寄りのいわゆるスイートスポットで正確に打つことが求められ、素振り等のスイングの練習では、実際にボールを打つ瞬間に、ボールにバットのスイートスポットを当てるのが可能となることを目指して練習が行われていた。
バットスイングの練習としては、素振りや、実際にボールを打つティーバッティング等が従来から行われ、正しいスイングの習得を目指していた。
【０００３】
【発明が解決しようとする課題】
従来のバットスイング練習は以上のように行われていたが、バットにおけるスイートスポットの外観はバットの他の打球部分とほぼ同一であり、練習の際に、これを見分けてボールを打つ際に前向きになるようにバットを保持することは上級者を除いて困難であり、また、バットで実際にボールを打っても、ごく狭いスイートスポットにまっすぐ正確にボールを当てられたかどうか判断できず、自分が正確なスイングを実践しているか否かを把握しにくく、練習の効果を得にくいという課題を有していた。
【０００４】
仮にバットのスイートスポットにマーキングを施したとしても、スイング中はスイングスピードが速いために打球面の向きを目で見て確認することはできず、素振りにおいてスイートスポットをスイング方向正面に位置させたり、実際のバッティングでスイートスポットの正面でボールを正確に捉えたりする練習を反復して行うことは事実上不可能であるという課題を有していた。
【０００５】
本発明は前記課題を解消するためになされたもので、確認用ロッドを介して打球面を正しい向きに保持したままスイングができたか否かの確認が容易に行え、正確なスイングの練習が容易且つ適切に行える練習用バットを提供することを目的とする。
【０００６】
【課題を解決するための手段】
本発明に係る練習用バットは、少なくとも一端側にグリップ部を有する所定長さの略棒状のバット本体と、当該バット本体の他端寄り所定位置に配設され、所定の打球面で少なくともボールを打撃可能な打球部と、前記バット本体における前記打球部の打球面と直角をなす後方側に所定長さ突出状態でバット本体に対し着脱可能に配設される確認用ロッドとを備えるものである。
【０００７】
このように本発明においては、バット本体端部の打球面と直角をなして後方に突出する確認用ロッドを配設し、スイング状態でも確認用ロッドの向きを見て打球面の向きを確認できることにより、打球面を正しい向きに保持したままスイングができたか否かの確認が容易に行え、ボールを打つ前後のスイング状態で確認用ロッドの向きを略水平に維持するよう努めてスイング練習を行うことで正しいスイングフォームを効率よく体得できる。また、確認用ロッドに所定の重量を付与することでバット本体のグリップを持つ手首にねじり方向の負荷を与えることができ、バットを正しい向きに維持する筋力の鍛錬も図れる。
【０００８】
また、本発明に係る練習用バットは必要に応じて、前記打球部が、前記バット本体から前記確認用ロッド突出方向と逆向きに突出させて形成されるものである。
このように本発明においては、打球部をバット本体から突出させて形成し、打撃対象の物体が打球面とそれ以外の部分に当る各状態を識別可能とすることから、打撃対象物体を打球面で正確に捉える練習がより効率的に行え、正しいスイングフォームをより早く身に付けられる。
【０００９】
また、本発明に係る練習用バットは必要に応じて、前記打球部が、前記バット本体と別体とされ、バット本体に対し着脱自在に配設されるものである。
このように本発明においては、打球部をバット本体に対し着脱自在とし、練習時以外は打球部をバット本体と分離できることにより、収納、持運び性を向上させられると共に、既存のバット等をバット本体として活用でき、練習にかかるコストを抑えつつスイング練習がより適切に実施できる。
【００１０】
また、本発明に係る練習用バットは必要に応じて、前記バット本体が、他端側所定長さ範囲を所定径の略円柱状とされる略バット状体として形成され、前記打球部が、前記バット本体外周面法線方向へ突出させて配設され、前記打球面を前記法線方向と略直角をなす面とされてなるものである。
このように本発明においては、バット本体を略バット状体とすると共に、打球部をバット本体外周面から法線方向に突出させて配設し、打球面をバット本体外周面と略平行に配置することにより、バット本体から突出した打球面で打撃対象の物体を捉える状態が通常打撃用のバットでボールを打つ場合とほぼ同じ状態となり、打撃対象物体を打球面で正確に捉える練習が通常打撃用のバットを用いる実際の打撃状況により近い形で行え、スイングフォームの習得をより適切且つ効率よく実行できる。
【００１１】
また、本発明に係る練習用バットは必要に応じて、前記打球部が、略バット状の前記バット本体におけるスイートスポットとなる外周位置に配設されるものである。
このように本発明においては、打球部をバット本体のスイートスポットに配設し、打撃対象の物体をバットのスイートスポットで打つ理想的な打撃を、打撃部の打球面で打撃対象物体を正確に捉える練習で習得可能となることにより、正しいスイング練習が効率よく実行でき、正しい打撃感覚を正確なスイングフォームも伴う形で確実に習得できる。
【００１２】
【発明の実施の形態】
以下、本発明の一実施の形態に係る練習用バットについて、図１及び図２に基づいて説明する。図１は本実施の形態に係る練習用バットの正面図、図２は本実施の形態に係る練習用バットの要部拡大図である。
前記各図に示すように、本実施の形態に係る練習用バット１は、一端側にグリップ部２ａを有するバット本体２と、このバット本体２の他端寄り所定位置に突出配設される打球部３と、前記バット本体２における前記打球部３の反対側に所定長さ突出状態で配設される確認用ロッド４とを備える構成である。
【００１３】
前記バット本体２は、公知の通常打撃用のバットとほぼ同一形状の木製バット状体として形成され、通常打撃用のバット同様に存在するスイートスポットにあたる他端寄りの外周面所定位置からこの位置における外周面の法線方向へ所定長さ突出させた状態で打球部３を着脱可能に取付けられると共に、打球部３突出方向のちょうど逆方向へ打球部３側と対向する外周面から突出させて確認用ロッド４を着脱可能に取付けられてなる構成である。
【００１４】
前記打球部３は、バット本体２に接する一端部に対し他端部を太くして形成され、この他端部に、打球部３取付位置におけるバット本体２外周面の前記法線方向と直角をなす打球面３ａを有し、この打球面３ａでボール等の打撃対象物体を打撃可能とされてなる構成である。この打球部３は、バット本体２に対し螺子止め等によりスイングや打撃等では脱落しない程度に取付けられているが、損耗した場合には取外して交換できる仕組みである。打球部３の打球面３ａの大きさは、バット本体２におけるスイートスポットの大きさに相当するものとするのが望ましい。
【００１５】
前記確認用ロッド４は、金属等の丈夫な略棒状体で形成され、バット本体２の打球部３取付位置における外周面の法線に中心を一致させ、打球部３の打球面３ａとは直角をなす向きでバット本体２から突出状態で着脱可能に配設される構成である。この確認用ロッド４としては、バットを持つ手にねじり方向の負荷を与える場合は重量の重いものを、打撃時など方向確認にのみ用いる場合は軽いものを使用するなど、用途に応じて使い分けることができる。
【００１６】
これら打球部３及び確認用ロッド４をバット本体２に取付けた状態で、一体の練習用バット１としての重心が公知の通常打撃用のバットとほぼ同一となるよう、打球部３及びバット本体２の各形状・重さを設定し、スイング時に公知の通常打撃用のバットとほぼ同じ感覚が得られるようにするのが望ましい。一方、これら打球部３及び確認用ロッド４は、練習時以外はバット本体２から取外してバット本体２を突出部分のない状態にすることができ、全体をコンパクトにして収納、持運び性を向上させられる。
【００１７】
次に、前記構成に基づく練習用バットを用いた練習状態について説明する。あらかじめ、打球部３及び確認用ロッド４がバット本体２に取付けられて練習用バット１として完成した状態にあるものとする。素振り練習を行う際は、この練習用バット１を練習者が通常打撃用のバット同様のフォームでスイングし、ボール等の打撃対象物体を打球部３の打球面３ａに当てて打つつもりで、バット本体２から突出する確認用ロッド４が打球部３で打撃対象物体を打つ前後で水平を維持するようスイング動作を実行する。
【００１８】
この時、練習者は、確認用ロッド４の重量に伴うねじり方向の力を受ける状態となっており、スイング動作中は常に、中心のバット本体２に対する確認用ロッド４の角度位置が水平から下向きにずれようとしている。練習者は確認用ロッド４の向きを上下にぶれさせないようにスイング動作を実行することにより、スイング中バットを正しい向きに維持する手首をはじめとした筋力を鍛えることができる。
【００１９】
打撃前後のスイング状態で確認用ロッド４の向きを水平に維持する、すなわち打球部３の打球面３ａをスイング方向正面に位置させるよう努めてスイング練習を反復して行うことにより、実際の通常打撃用のバットにおいても打球部分のスイートスポットをスイング方向正面に正確に位置させてスイングする正しいスイングフォームが習得できることとなる。
【００２０】
素振りの次段階として、ティーバッティング等の実際にボール等の打撃対象物体を打つ打撃練習を行う際は、確認用ロッド４を軽量な物に交換後、練習用バット１を練習者が通常打撃用のバット同様のフォームでスイングし、打撃対象物体を打球部３の打球面３ａに当てるようにして打つ動作を実行する。この時練習者は、バット本体２から突出する確認用ロッド４が打球部３で打撃対象物体を打つ前後で水平を維持するようスイング動作を実行する。打球部３に打撃対象物体が当ることで、バット本体２に対し打球部３を介して反力が加わるが、練習者は確認用ロッド４の向きをほぼ一定、すなわち、打球部３の角度を水平から変えずに振切る。
【００２１】
打撃前後のスイング状態で確認用ロッド４の向きを水平に維持し、打球部３の小さな打球面３ａを打撃対象物体に正面から当てるよう努めてスイング練習を反復して行うことにより、実際の通常打撃用のバットにおいても打球部分のスイートスポットをスイング中にボールに確実に正面から当てるスイング技術が習得できることとなる。
【００２２】
このように、本実施の形態に係る練習用バットは、バット本体２端部の打球面３ａと直角をなして後方に突出する確認用ロッド４を配設し、スイング状態でも確認用ロッド４の向きを見て打球面３ａの向きを確認できることにより、打球面３ａを正しい向きに保持したままスイングができたか否かの確認が容易に行え、ボールを打つ前後のスイング状態で確認用ロッド４の向きを略水平に維持するよう努めてスイング練習を行うことで打球面をスイング方向正面に向けた正しいスイングフォームを効率よく体得できる。加えて、確認用ロッド４に所定の重量を付与することでバット本体２のグリップ部２ａを持つ手首にねじり方向の負荷を与えることができ、バットを正しい向きに維持する筋力の鍛錬も図れる。
【００２３】
なお、前記実施の形態に係る練習用バットにおいては、バット本体２を通常打撃用のバット同様のバット状体として形成する構成としているが、これに限らず、少なくとも一端側にグリップ部２ａを有していれば、図３に示すように、他端側所定長さ範囲は単純な棒形状とし、且つ断面形状についても円断面形状に限らず、多角形など他の断面形状に形成する構成としてもかまわない。
【００２４】
また、前記実施の形態に係る練習用バットにおいては、打球部３とバット本体２や確認用ロッド４とを組立てて一体化する構成としたが、これに限らず、金属製の略バット状のバット本体外周に金属製の打球部や確認用ロッドを溶接等で当初から一体に固定する構成とすることもでき、強度、耐久性を著しく向上させてより長期間使用できることとなる。
【００２５】
また、前記実施の形態に係る練習用バットにおいて、打球部３をバット本体２とは別体とし、バット本体２から打球部３を突出させた状態で配設する構成としているが、これに限らず、打球部が通常打撃用のバットと同形状のバット本体２における外周面の一部をなして突出せず、打球面がスイートスポットそのものとなる構成とすることもできる。
【００２６】
また、前記実施の形態に係る練習用バットにおいて、バット本体２は打球部３及び確認用ロッド４と組合わせて通常の両手により行うスイングの練習用として用いられる構成としているが、この他、打撃フォームの改善のために、片手でバットを握って素振りやバッティング練習を行う場合に対応して、バット本体２、打球部３、及び確認用ロッド４を組合わせた全体の重量を前記両手用の場合に比べて２／５程度に軽量化したものを用いることもできる。
【００２７】
【発明の効果】
以上のように本発明によれば、バット本体端部の打球面と直角をなして後方に突出する確認用ロッドを配設し、スイング状態でも確認用ロッドの向きを見て打球面の向きを確認できることにより、打球面を正しい向きに保持したままスイングができたか否かの確認が容易に行え、ボールを打つ前後のスイング状態で確認用ロッドの向きを略水平に維持するよう努めてスイング練習を行うことで正しいスイングフォームを効率よく体得できるという効果を奏する。また、確認用ロッドに所定の重量を付与することでバット本体のグリップを持つ手首にねじり方向の負荷を与えることができ、バットを正しい向きに維持する筋力の鍛錬も図れるという効果を有する。
【００２８】
また、本発明によれば、打球部をバット本体から突出させて形成し、打撃対象の物体が打球面とそれ以外の部分に当る各状態を識別可能とすることから、打撃対象物体を打球面で正確に捉える練習がより効率的に行え、正しいスイングフォームをより早く身に付けられるという効果を有する。
【００２９】
また、本発明によれば、バット本体を略バット状体とすると共に、打球部をバット本体外周面から法線方向に突出させて配設し、打球面をバット本体外周面と略平行に配置することにより、バット本体から突出した打球面で打撃対象の物体を捉える状態が通常打撃用のバットでボールを打つ場合とほぼ同じ状態となり、打撃対象物体を打球面で正確に捉える練習が通常打撃用のバットを用いる実際の打撃状況により近い形で行え、スイングフォームの習得をより適切且つ効率よく実行できるという効果を有する。
【００３０】
また、本発明によれば、打球部をバット本体のスイートスポットに配設し、打撃対象の物体をバットのスイートスポットで打つ理想的な打撃を、打撃部の打球面で打撃対象物体を正確に捉える練習で習得可能となることにより、正しいスイング練習が効率よく実行でき、正しい打撃感覚を正確なスイングフォームも伴う形で確実に習得できるという効果を有する。
【図面の簡単な説明】
【図１】本発明の一実施の形態に係る練習用バットの正面図である。
【図２】本発明の一実施の形態に係る練習用バットの要部拡大図である。
【図３】本発明の他の実施形態に係る練習用バットの正面図である。
【符号の説明】
１    練習用バット
２    バット本体
２ａ  グリップ部
３    打球部
３ａ  打球面
４    確認用ロッド
【図１】
2004313529.tif 000003
【図２】
2004313529.tif 000004
【図３】
2004313529.tif 000005